(57)【要約】【課題】受信機の変化を最小化してマルチアングル放送サービスを提供することにある。【解決手段】マルチアングル放送サービスの提供システムを提供する。送信装置は、１つのイベントを様々な角度で撮影したソース映像だけでなく、ソース映像を含むマルチ画面映像を受信装置に送信する。受信装置は、マルチ画面映像を受信し、ユーザの選択に応じてソース映像を復号化してもよい。【選択図】図３
2011082982.tif 000002
【特許請求の範囲】
【請求項１】
複数の時点から撮影されたソース映像を受信する受信部と、
前記複数のソース映像を含むマルチ画面映像を生成するマルチ画面映像生成部と、
前記マルチ画面映像を受信装置に送信する送信部と
を備えたことを特徴とする送信装置。
【請求項２】
前記マルチ画面映像生成部は、前記複数のソース映像の中で特定のソース映像の大きさが異なるソース映像の大きさよりも大きく前記マルチ画面映像を生成することを特徴とする請求項１に記載の送信装置。
【請求項３】
前記複数のソース映像は、第１ソース映像と第２ソース映像を含み、
前記マルチ画面映像生成部は、前記第１ソース映像の大きさが前記第２ソース映像の大きさよりも大きい第１マルチ画面映像を生成し、前記第２ソース映像の大きさが前記第１ソース映像の大きさよりも大きい第２マルチ画面映像を生成することを特徴とする請求項２に記載の送信装置。
【請求項４】
前記送信部は、前記ソース映像を追加的に前記受信装置に送信することを特徴とする請求項１に記載の送信装置。
【請求項５】
前記送信部は、前記ソース映像と前記マルチ画面映像を同一のチャネルを用いて送信することを特徴とする請求項４に記載の送信装置。
【請求項６】
前記送信部は、前記ソース映像と前記マルチ画面映像をそれぞれ異なるチャネルを用いて送信することを特徴とする請求項４に記載の送信装置。
【請求項７】
複数の時点から撮影されたソース映像と前記複数のソース映像を含むマルチ画面映像を受信する映像受信部と、
前記マルチ画面映像に含まれたソース映像のうちのいずれか１つのソース映像に対するユーザの選択を受信するユーザ選択受信部と、
前記ユーザの選択によるソース映像を復号化する映像復号化部と
を備えたことを特徴とする受信装置。
【請求項８】
前記マルチ画面映像は、前記ソース映像の中で特定のソース映像の大きさが異なるソース映像の大きさよりも大きいことを特徴とする請求項７に記載の受信装置。
【請求項９】
前記ソース映像は、第１ソース映像と第２ソース映像を含み、
前記映像受信部は、前記第１ソース映像の大きさが前記第２ソース映像の大きさよりも大きい第１マルチ画面映像を受信し、前記第２ソース映像の大きさが前記第１ソース映像の大きさよりも大きい第２マルチ画面映像を受信することを特徴とする請求項８に記載の受信装置。
【請求項１０】
前記ユーザ選択受信部は、前記第１マルチ画面映像に含まれた第１ソース映像に対するユーザの選択を受信した場合に、前記映像復号化部は前記第１ソース映像を復号化することを特徴とする請求項９に記載の受信装置。
【請求項１１】
前記ユーザ選択受信部は、前記第１マルチ画面映像に含まれた第２ソース映像に対するユーザの選択を受信した場合に、前記映像復号化部は前記第２マルチ画面映像を復号化することを特徴とする請求項９に記載の受信装置。
【請求項１２】
前記映像受信部は、前記ソース映像と前記マルチ画面映像を同一のチャネルを用いて受信することを特徴とする請求項７に記載の受信装置。
【請求項１３】
前記映像受信部は、前記ソース映像と前記マルチ画面映像をそれぞれ異なるチャネルを用いて受信することを特徴とする請求項７に記載の受信装置。
【請求項１４】
複数の時点から撮影されたソース映像と前記複数のソース映像を含むマルチ画面映像を受信する映像受信部と、
前記マルチ画面映像に対するメタデータを受信するメタデータ受信部と、
前記マルチ画面映像に基づいて選択された前記ソース映像を前記メタデータに基づいて復号化する映像復号化部と
を備えたことを特徴とする受信装置。
【請求項１５】
前記ソース映像は、第１ソース映像と第２ソース映像を含み、
前記映像受信部は、前記第１ソース映像の大きさが前記第２ソース映像の大きさよりも大きい第１マルチ画面映像を受信し、前記第２ソース映像の大きさが前記第１ソース映像の大きさよりも大きい第２マルチ画面映像を受信することを特徴とする請求項１４に記載の受信装置。
【請求項１６】
前記メタデータは、前記ソース映像の個数に関する情報、前記各マルチ画面映像に含まれたソース映像の中で最も大きいソース映像に関する情報のうち、少なくとも１つ以上を含むことを特徴とする請求項１５に記載の受信装置。
【請求項１７】
前記第１マルチ画面映像に基づいて前記第１ソース映像が選択された場合に、前記メタデータ受信部は、前記メタデータを参照して前記マルチ画面映像の中で前記第１ソース映像の大きさと前記第２ソース映像の大きさを判断し、前記映像復号化部は、前記判断に応じて前記第１ソース映像を復号化することを特徴とする請求項１４に記載の受信装置。
【請求項１８】
前記第１マルチ画面映像に基づいて前記第１ソース映像が選択された場合に、前記メタデータ受信部は、前記メタデータを参照して前記マルチ画面映像の中で前記第１ソース映像の大きさと前記第２ソース映像の大きさを判断し、前記映像復号化部は、前記判断に応じて前記第２マルチ画面映像を復号化することを特徴とする請求項１４に記載の受信装置。
【発明の詳細な説明】
【技術分野】
【０００１】
本発明は放送サービスを提供するシステムに関し、さらに具体的には、１つのイベントを様々な角度で撮影した映像を送信するマルチアングル放送サービスの提供システムに関する。
【背景技術】
【０００２】
マルチアングル放送サービスは、１つのイベントを様々な角度で撮影してユーザにサービスするものである。
【０００３】
図１は、本発明に係るマルチアングル放送サービスの概念を示す図である。図１において、野球場１１０で行われる野球競技が１つのイベントになり得る。野球競技を中継するためには、外野方向１２１、１２２、１２３、内野方向１２４、１２５、１２６等の様々な方向に野球場の隅々の姿を撮影しなければならない。一般的に放送局は野球競技の進行に応じて最も重要な場面を撮影した映像を選択してユーザに送信する。
【０００４】
マルチアングル放送サービスは、野球競技を互いに異なる位置で撮影した複数のソース映像の中、ユーザが選択した１つのソース映像をユーザに提供する放送サービスである。ユーザは、放送局が選択したソース映像ではなく、ユーザが直接に選択したソース映像を視聴することができる。ユーザが所望する角度で撮影したソース映像が視聴できるため、ユーザの満足度が向上される。
【０００５】
ユーザはディスプレイ装置１３０を用いて複数のソース映像１３１、１３２、１３３、１３４、１３５、１３６を同時に視聴することができる。ユーザは複数のソース映像１３１、１３２、１３３、１３４、１３５、１３６のうち、ユーザが所望する時点で撮影した１つのソース映像を選択する。ユーザは選択したソース映像を視聴することができる。
【発明の概要】
【発明が解決しようとする課題】
【０００６】
本発明の目的は、受信機の変化を最小化してマルチアングル放送サービスを提供することにある。
【０００７】
本発明の目的は、マルチアングル放送サービスを受信することのできる安価な受信機を提供することにある。
【課題を解決するための手段】
【０００８】
本発明は、前記の目的を達成するために、複数の時点から撮影されたソース映像を受信する受信部と、前記複数のソース映像を含むマルチ画面映像を生成するマルチ画面映像生成部と、前記マルチ画面映像を受信装置に送信する送信部とを含む送信装置を提供する。
【０００９】
本発明の一側面によれば、複数の時点から撮影されたソース映像と前記複数のソース映像を含むマルチ画面映像を受信する映像受信部と、前記マルチ画面映像に含まれたソース映像のうちのいずれか１つのソース映像に対するユーザの選択を受信するユーザ選択受信部と、前記ユーザの選択によるソース映像を復号化する映像復号化部とを含む受信装置が提供される。
【００１０】
本発明の更なる側面によれば、複数の時点から撮影されたソース映像と前記複数のソース映像を含むマルチ画面映像を受信する映像受信部と、前記マルチ画面映像に対するメタデータを受信するメタデータ受信部と、前記マルチ画面映像に基づいて選択された前記ソース映像を前記メタデータに基づいて復号化する映像復号化部とを含む受信装置が提供される。
【発明の効果】
【００１１】
本発明によれば、受信機の変化を最小化してマルチアングル放送サービスを提供することができる。
【００１２】
本発明によれば、マルチアングル放送サービスを受信できる安価な受信機を提供することができる。
【図面の簡単な説明】
【００１３】
【図１】本発明に係るマルチアングル放送サービスの概念を示す図である。
【図２】ユーザの選択に応じてマルチ画面映像とソース画面映像を切り替えて復号化する概念を示す図である。
【図３】本発明の一実施形態に係る送信装置の構造を示すブロック図である。
【図４】本発明の一実施形態に係る受信装置の構造を示すブロック図である。
【図５】本発明の他の実施形態に係る受信装置の構造を示すブロック図である。
【発明を実施するための形態】
【００１４】
図２は、ユーザの選択に応じてマルチ画面映像とソース画面映像を切り替えて復号化する概念を示す図である。本発明に係る送信装置は、ソース映像２１０、２２０、２３０、２４０だけではなく、ソース映像を含むマルチ画面映像２５０、２６０、２７０、２８０を受信装置に送信し、受信装置はマルチ画面映像２５０、２６０、２７０、２８０に基づいてユーザの選択を受信する。
【００１５】
ユーザは複数のソース映像２５１、２５２、２５３、２５４を含む第１マルチ画面映像２５０を視聴する。第１マルチ画面映像２５０において、第１ソース映像２５１は他のソース映像２５２、２５３、２５４よりも大きさが大きい。ユーザが、もし第１マルチ画面映像２５０に含まれた第１ソース映像２５１を選択した場合に、受信装置は第１ソース映像２１０を選択して復号化する。
【００１６】
もし、ユーザが第１マルチ画面映像２５０に含まれた他のソース映像２５２、２５３、２５４を選択した場合に、受信装置は他のマルチ画面映像２６０、２７０、２８０の中でユーザが選択したソース映像の大きさが最も大きいマルチ画面映像を復号化する。例えば、ユーザが第１マルチ画面映像２５０に含まれた第２ソース映像２５２を選択した場合に、受信装置は第２ソース映像２６２の大きさが最も大きい第２マルチ画面映像２６０を選択し、選択された第２マルチ画面映像２６０を復号化する。
【００１７】
ユーザが第２マルチ画面映像２６０に含まれた第２ソース映像２６２を選択すれば、受信装置は第２ソース映像２２０を選択して復号化してもよい。しかし、ユーザが第２マルチ画面映像２６０に含まれた第３ソース映像２６３または第４ソース映像２６４を選択すれば、受信装置は第３マルチ画面映像２７０または第４マルチ画面映像２８０を復号化してもよい。第３マルチ画面映像２７０は、複数のソース映像２７１、２７２、２７３、２７４の中で第３ソース映像２７３の大きさが最も大きいマルチ画面映像であり、第４マルチ画面映像２８０は、複数のソース映像２８１、２８２、２８３、２８４の中で第４ソース映像２８４の大きさが最も大きいマルチ画面映像である。
【００１８】
すなわち、図２に示す実施形態によれば、ユーザは複数のソース映像が同時に再生するマルチ画面映像に基づいて、いずれか１つのソース映像を選択してもよい。受信装置は、ユーザが選択したソース映像にしたがってユーザが選択したソース映像の大きさが大きく表現された他のマルチ画面映像を復号化したり、ユーザが選択したソース映像を復号化してもよい。
【００１９】
図３は、本発明の一実施形態に係る送信装置の構造を示すブロック図である。送信装置３００は、受信部３１０、マルチ画面映像生成部３２０および送信部３３０を含む。
【００２０】
受信部３１０は複数のソース映像を受信する。各ソース映像は、同一のイベントを複数の時点から撮影して生成されたものである。例えば、第１ソース映像は野球競技を１塁の方向で撮影して生成したものであり、第２ソース映像は野球競技を３塁の方向で撮影して生成したものであってもよい。
【００２１】
マルチ画面映像生成部３２０は、複数のソース映像を含むマルチ画面映像を生成する。マルチ画面映像は１つの画面に複数のソース映像を含む映像であって、例えば、第１ソース映像は左側に、第２ソース映像は右側に位置する映像であってもよい。ユーザは、マルチ画面映像を用いてイベントを様々な時点で同時に観察することができる。例えば、ユーザはマルチ画面映像の中で第１ソース映像および第２ソース映像を参考して野球競技を１塁方向で撮影した場面と３塁方向で撮影した場面を同時に視聴することもできる。
【００２２】
一実施形態によれば、マルチ画面映像生成部３２０は、マルチ画面映像に含まれた複数のソース画面映像の中で特定のソース映像の大きさが異なるソース映像の大きさよりも大きくマルチ画面映像を生成してもよい。
【００２３】
また、マルチ画面映像生成部３２０は複数のマルチ画面映像を生成してもよい。この場合に、マルチ画面映像生成部３２０は、第１ソース映像の大きさが第２ソース映像の大きさよりも大きい第１マルチ画面映像を生成し、第２ソース映像の大きさが第１ソース映像の大きさよりも大きい第２マルチ画面映像を生成してもよい。第１マルチ画面映像と第２マルチ画面映像の全ては第１ソース映像と第２ソース映像を含むが、各マルチ画面映像に含まれたソース画面の大きさは互いに異なってもよい。
【００２４】
また、各マルチ画面映像に含まれたソース画面の位置は互いに異なってもよい。すなわち、第１マルチ画面映像では第１ソース映像が画面の上段に位置してもよいが、第２マルチ画面映像では第２ソース映像が画面の上段に位置してもよい。
【００２５】
送信部３３０は、ネットワーク３４０を用いてマルチ画面映像を受信装置３５０に送信する。一実施形態によれば送信部３３０はマルチ画面映像だけでなく、ソース映像を追加的に受信装置３５０へ送信してもよい。
【００２６】
一実施形態によれば、送信部３３０は、ソース映像とマルチ画面映像を同一のチャネルを用いて受信装置３５０に送信してもよい。または送信部３３０は、ソース映像とマルチ画面映像を異なるチャネルを用いて受信装置３５０に送信してもよい。
【００２７】
受信装置３５０はマルチ画面映像を復号化する。復号化されたマルチ画面映像は、ディスプレイ装置３６０を用いてユーザに提供してもよい。一実施形態によれば、ユーザは復号化されたマルチ画面映像に基づいて特定のソース映像を選択してもよい。この場合に、受信装置３５０は、送信装置３００から受信したソース映像の中でユーザが選択したソース映像を復号化してもよい。他の実施形態によれば、ユーザは復号化されたマルチ画面映像に基づいて異なるマルチ画面映像を復号化してもよい。
【００２８】
図４は、本発明の一実施形態に係る受信装置の構造を示すブロック図である。受信装置４００は、映像受信部４１０、ユーザ選択受信部４２０および映像復号化部４３０を含む。
【００２９】
映像受信部４１０は、複数の時点から撮影されたソース映像と各ソース映像を含むマルチ画面映像をネットワーク４５０を用いて送信装置４４０から受信する。マルチ画面映像は複数のソース映像を含むが、複数のソース映像の中で特定映像の大きさは他の映像の大きさよりも大きくてもよい。
【００３０】
一実施形態によれば、映像受信部４１０は複数のマルチ画面映像を受信してもよい。映像受信部４１０が、第１ソース映像と第２ソース映像を含む第１マルチ画面映像と第２マルチ画面映像を受信した場合に、第１マルチ画面映像では第１ソース映像の大きさが第２ソース映像の大きさよりも大きくてもよく、第２マルチ画面映像では第２ソース映像の大きさが第１ソース映像の大きさよりも大きくてもよい。また、第１マルチ画面映像では第１ソース映像が画面の上段に位置してもよく、第２マルチ画面映像では第２ソース映像が画面の上段に位置してもよい。
【００３１】
一実施形態によれば、映像受信部４１０はソース映像とマルチ画面映像を同一のチャネルを用いて送信装置４４０から受信してもよい。または、映像受信部４１０は、ソース映像とマルチ画面映像を異なるチャネルを用いて送信装置４４０から送信してもよい。ユーザはディスプレイ装置４６０に表示されるマルチ画面映像を視聴し、いずれか１つのソース映像を選択してもよい。ユーザ選択受信部４２０は、マルチ画面映像に含まれたソース映像のうちのいずれか１つのソース映像に対するユーザの選択を受信する。
【００３２】
映像復号化部４３０はユーザが選択したソース映像を復号化したり、ユーザが選択したソース映像の大きさが大きく表現された他のマルチ画面映像を復号化してもよい。一実施形態によれば、ディスプレイ装置４６０が第１ソース映像の大きさが第２ソース映像の大きさよりも大きい第１マルチ画面映像を表示する場合に、ユーザは第１ソース映像を選択してもよい。ユーザ選択受信部４２０はユーザから第１ソース映像に対する選択を受信し、映像復号化部４３０は第１ソース映像を復号化してもよい。
【００３３】
他の実施形態によれば、ディスプレイ装置４６０が第１ソース映像の大きさが第２ソース映像の大きさよりも大きい第１マルチ画面映像を表示する場合に、ユーザは第２ソース映像を選択してもよい。ユーザ選択受信部４２０はユーザから第２ソース映像に対する選択を受信し、映像復号化部４３０は第２ソース映像の大きさが大きく表現された第２マルチ画面映像を復号化してもよい。もし、ユーザが第２マルチ画面映像に基づいて第２ソース映像を選択すれば、ユーザ選択受信部４２０はユーザから第２ソース映像に対する選択を受信し、映像復号化部４３０は第２ソース映像を復号化してもよい。
【００３４】
図５は、本発明の他の実施形態に係る受信装置の構造を示すブロック図である。受信装置５００は、映像受信部５１０、メタデータ受信部５２０および映像復号化部５３０を含む。
【００３５】
映像受信部５１０は、複数の時点から撮影されたソース映像と各ソース映像を含むマルチ画面映像をネットワーク５５０を用いて送信装置５４０から受信する。一実施形態によれば、映像受信部５１０は複数のマルチ画面映像を受信してもよい。映像受信部５１０が第１ソース映像と第２ソース映像を含む第１マルチ画面映像と第２マルチ画面映像を受信した場合に、第１マルチ画面映像では第１ソース映像の大きさが第２ソース映像の大きさよりも大きくてもよく、第２マルチ画面映像では第２ソース映像の大きさが第１ソース映像の大きさよりも大きくてもよい。また、第１マルチ画面映像では第１ソース映像が画面の上段に位置してもよく、第２マルチ画面映像では第２ソース映像が画面の上段に位置してもよい。
【００３６】
メタデータ受信部５２０は、マルチ画面映像に対するメタデータを受信する。メタデータはマルチ画面映像の特性に関する情報を含むデータであって、例えば、送信装置５４０から受信したソース映像の個数、各マルチ画面映像が含むソース映像の個数および各マルチ画面映像が含むソース映像の識別子、各マルチ画面映像に含まれたソース映像の中で大きさが最も大きいソース映像に関する情報などを含んでもよい。ユーザはディスプレイ装置５６０に表示されるマルチ画面映像を視聴し、マルチ画面映像に含まれたソース映像のうちのいずれか１つの映像を選択してもよい。
【００３７】
映像復号化部５３０は、マルチ画面映像に基づいて選択されたソース映像をメタデータに基づいて復号化する。
【００３８】
一実施形態によれば、ディスプレイ装置５６０が、第１ソース映像の大きさが第２ソース映像の大きさよりも大きい第１マルチ画面映像を表示する場合に、ユーザは第１ソース映像を選択してもよい。メタデータ受信部５２０は、第１マルチ画面映像に対するメタデータを参照して第１マルチ画面映像に第１ソース映像と第２ソース映像が含まれていることが分かる。また、メタデータ受信部５２０は、第１マルチ画面映像に対するメタデータを参照して第１マルチ画面映像に含まれた第１ソース映像と第２ソース映像の大きさを判断することができる。メタデータ受信部５２０は、第１マルチ画面映像において最も大きい画面を有するソース映像が選択されたかを判断する。第１マルチ画面映像において最も大きい画面を有する第１ソース映像が選択されたと判断された場合に、映像復号化部５３０は、メタデータ受信部５２０の判断に応じて第１ソース映像を復号化してもよい。
【００３９】
他の実施形態によれば、ディスプレイ装置５６０が第１ソース映像の大きさが第２ソース映像の大きさよりも大きい第１マルチ画面映像を表示する場合に、ユーザは第２ソース映像を選択してもよい。ユーザが選択した第２ソース映像の大きさが第１マルチ画面映像に含まれた第１ソース映像の大きさよりも小さいと判断された場合に、メタデータ受信部５２０はマルチ画面映像に対するメタデータを参照して第２ソース映像の大きさが最も大きいマルチ画面の映像が何かを判断する。映像復号化部は、メタデータ受信部５２０の判断に応じて第２ソース映像の大きさが最も大きい第２マルチ画面映像を復号化してもよい。
【符号の説明】
【００４０】
３００  送信装置
３１０  受信部
３２０  マルチ画面映像生成部
３３０  送信部
４００  受信装置
４１０  映像受信部
４２０  ユーザ選択受信部
４３０  映像復号化部
５００  受信装置
５１０  映像受信部
５２０  メタデータ受信部
５３０  映像復号化部
【図１】
2011082982.tif 000003
【図２】
2011082982.tif 000004
【図３】
2011082982.tif 000005
【図４】
2011082982.tif 000006
【図５】
2011082982.tif 000007